(57)【特許請求の範囲】
【請求項１】
集中タンク内に貯留された石鹸水を供給ホースを介し吸い込み可能に構成された水石鹸供給器において、前記集中タンクへの石鹸水の補給を前記水石鹸供給器側から行なえるように該水石鹸供給器には石鹸水補給口が形成されているとともに、水石鹸供給器から垂設された石鹸水吸い込み用の吸い上げホースを、前記集中タンクに連通接続された前記供給ホース内に通したことを特徴とする水石鹸供給器。
【請求項２】
前記集中タンクには、石鹸水補給時に該タンク内の空気を抜くための空気抜き弁が付設されていることを特徴とする請求項１に記載の水石鹸供給器。
【請求項３】
前記空気抜き弁内部の弁体は取り外し可能に構成されていることを特徴とする請求項２に記載の水石鹸供給器。
【請求項４】
前記供給ホースを取り外し、個別の石鹸水タンクを下部に取付可能に構成してなる請求項１に記載の水石鹸供給器。
【発明の詳細な説明】
【０００１】
【産業上の利用分野】
この発明は、水石鹸を吐出できる水石鹸供給器に関するものである。
【０００２】
発明者らは先に、複数の泡状水石鹸供給器を配設して、これらの複数の泡状水石鹸供給器に１個の集中タンクから石鹸水を供給できる装置を提案しているが、集中タンクへ石鹸水を補給するための補給口を別途設ける必要があり、カウンター等にこのような補給口を設けるにはそのためのスペースが必要であり、補給口を設けることが困難となる場合があるという問題点があった。
【０００３】
【課題を解決するための手段】
本発明は上記従来の問題点に鑑み、補給口を別途設ける必要がなく小スペースで低コストで設置できる水石鹸供給器を提供せんことを目的とし、その第１の要旨は、集中タンク内に貯留された石鹸水を供給ホースを介し吸い込み可能に構成された水石鹸供給器において、前記集中タンクへの石鹸水の補給を前記水石鹸供給器側から行なえるように該水石鹸供給器には石鹸水補給口が形成されているとともに、水石鹸供給器から垂設された石鹸水吸い込み用の吸い上げホースを、前記集中タンクに連通接続された前記供給ホース内に通したことである。
また、第２の要旨は、前記集中タンクには、石鹸水補給時に該タンク内の空気を抜くための空気抜き弁が付設されていることである。
また、第３の要旨は、前記空気抜き弁内部の弁体は取り外し可能に構成されていることである。
また、第４の要旨は、前記供給ホースを取り外し、個別の石鹸水タンクを下部に取付可能に構成してなることである。
【０００４】
【実施例】
以下、本発明の実施例を図面に基づいて説明する。
図１は、泡状水石鹸供給器の断面構成図であり、図において、泡状水石鹸供給器１は、カウンターＫの上面に固定部材２が固定状に取り付けられ、固定部材２からカウンターＫの下方に向かって垂下ネジ筒部３が垂設され、この垂下ネジ筒部３の外周にカウンターＫの下方よりナット４が締め付けられてカウンターＫに固定されるものであり、固定部材２の上面側には押圧操作できるボタン５が設けられており、このボタン５の上面には図２の平面拡大図で示すように、水平面内で支点５ｄを中心として開閉可能なキャップ５ａが取り付けられており、ボタン５のキャップ５ａの下部に石鹸水補給口５ｃが形成されたものとなっており、石鹸水補給口５ｃの底面側には下方へ連通する複数の通し孔５ｂが形成されたものとなっている。このボタン５からは垂下状に摺動棒７が前記垂下ネジ筒部３内を通して垂設されており、摺動棒７内は中空状に形成されて内部に空気流路Ｒが形成されたものとなっている。
【０００５】
この摺動棒７の下端にはエアー弁８が設けられており、その下部にはベローズ９が配設されて、ベローズ９内にはバネ１０が配設されている。また、ベローズ９の下部には混合室１１が形成されており、混合室１１の下端には吸い込み弁１２が設けられて、吸い込み弁１２から下方へ接続継手１５が垂下されている。また、混合室１１内にはエアー孔１４が形成されているとともに、その上部に逆止弁１３が配設されており、この逆止弁１３の上部には吐出通路１７が上方側へ延出形成され、吐出通路１７の上端にメッシュ１９を介在させて前記固定部材２から回動可能に吐出ノズル６が突出されている。
【０００６】
なお、前記摺動棒７の外周と垂下ネジ筒部３の内周間は空間となって石鹸水の通る通路１８が形成されており、石鹸水は前記ベローズ９の外側を通り下方側へ落下できるように構成されている。また、前記接続継手１５には吸い上げホース２０が接続されており、吸い上げホース２０はタンク２１内に垂設されたものとなっている。このタンク２１内には石鹸水を貯留でき、このタンク２１は前記ベローズ９の外周を覆蓋するカバー部材１６の下端に着脱可能に取り付けられたものである。
【０００７】
このような構成において、前記ボタン５を使用者が上方より下方へ押圧すると、ボタン５の下動に伴って前記摺動棒７が下動して前記ベローズ９を収縮させることとなり、この状態でボタン５から手を離すと、バネ１０の付勢力によりベローズ９は元の状態に復帰するが、この時にベローズ９内には負圧が生じ、この負圧により前記タンク２１内に貯留されている石鹸水が吸い上げホース２０から吸い上げられて、吸い込み弁１２を通り混合室１１内に吸い込まれるものであり、同時に、ベローズ９内で生じた負圧により前記エアー弁８が開き、これにより摺動棒７の上端部分に開口された空気取入口７ａから空気が吸い込まれ、空気流路Ｒを通り空気が混合室１１内に入れられて、混合室１１内で空気と石鹸水が混合されるものである。
【０００８】
この状態で、再度、ボタン５を使用者が押圧すると、混合室１１内に存在する空気が混合された石鹸水は逆止弁１３を通り吐出通路１７に排出されるものであり、この時にエアー孔１４からエアーを吸い込んで更にエアーが混合され、更にエアーを混合した石鹸水は前記メッシュ１９を通ることにより泡状となり、この状態で吐出ノズル６から泡状水石鹸として吐出されるものである。
【０００９】
図１では、泡状水石鹸供給器１の下部に単独でタンク２１が取り付けられており、この図１の泡状水石鹸供給器１は単独で個別に設置できるタイプである。このような泡状水石鹸供給器１においては前記タンク２１を取り外すことができ、タンク２１を取り外してタンク２１の代わりに図３に示すように、カバー部材１６に混合室１１を覆蓋するように集中供給用接続部材２２を取り付けることができ、この集中供給用接続部材２２の連結突部２２ａ内に前記吸い上げホース２０を通し、さらに吸い上げホース２０の外周に供給ホース２３を嵌め込んで、供給ホース２３を連結突部２２ａに連結させることができ、図４に正面図で、また図５に平面図で、また図６に側面図で示すように、カウンターＫに複数設置された手洗器３５，３５のそれぞれの近傍に図３の泡状水石鹸供給器１，１を設置して、各泡状水石鹸供給器１を接続チーズ３４等を介し供給ホース２３で１個の集中タンク２４に連通接続させることができ、１個の集中タンク２４はカウンターＫの下部空間にコンパクトに設置しておくことができ、この１個の集中タンク２４内に石鹸水を貯留させておけば複数の泡状水石鹸供給器１，１に対し供給ホース２３を介し石鹸水を供給できるものである。なお、集中タンク２４にはオーバーフロー管２５を接続しておき、オーバーフロー液を受け２６で受け止めて回収できるように構成しておくことができる。
【００１０】
このように本例の泡状水石鹸供給器１は、下部に個別のタンク２１を取り付けて単独で使用することもでき、また、タンク２１を取り外して集中供給用接続部材２２を取り付け、かつ供給ホース２３を接続することにより、複数の泡状水石鹸供給器１，１を１個の集中タンクに接続させることができるものである。しかも、単独で用いる場合においても、また１個の集中タンク２４に連結させて用いる場合においても、前述した如く各泡状水石鹸供給器１のボタン５には石鹸水補給口５ｃが形成されているため、図２に示すように、支点５ｄを中心としてキャップ５ａを水平面内で回動させて石鹸水補給口５ｃを開き、ボタン５の上方より石鹸水を石鹸水補給口５ｃ内に注入して補給することができ、補給された石鹸水は通し孔５ｂから下方へ落下して前記通路１８を通りベローズ９の外周側を通って流下し、集中供給の場合には集中供給用接続部材２２から供給ホース２３内に流されて集中タンク２４に石鹸水が補給されるものである。
【００１１】
従って、泡状水石鹸供給器１のボタン５から石鹸水の補給が可能であるため、別途補給口をカウンターＫ上等に形成させる必要がなく、補給口の設置スペースが不要となり、カウンターＫに補給口を開設させる等の加工も不要であり、コストを低減させてカウンターＫ等の設置が可能となり、石鹸水の補給性が極めて向上し、省スペース化を図ることができるものとなる。また、カウンターＫ上に補給口がなく意匠的にも優れたものとなる。
【００１２】
なお、泡状水石鹸供給器１側から石鹸水を補給して集中タンク２４内へ石鹸水を入れる際には、集中タンク２４内の空気を抜く必要があり、そのため集中タンク２４の上面には図７に拡大断面図で示すような空気抜き弁２７が設けられている。即ち、図７の空気抜き弁２７は、集中タンク２４に形成された開口２４ｂから上方へ筒状に突出した取付筒部２４ａに、ホッパー２８がパッキン２９を介し水密状に取り付けられており、このホッパー２８の中央部には孔２８ａが形成され、ホッパー２８の上面には通気性の通気カバー３０が覆設されている。また、ホッパー２８の孔２８ａの下部には上下動可能にフロート３１が内蔵されており、フロート３１の上面に逆傘状のゴム製の弁体３２が取り付けられている。また、フロート３１の外周には複数枚の羽根３１ａが設けられており、この羽根３１ａの先端が摺接しながら上下動できるものである。また、フロート３１の下部の開口２４ｂにはフロート押さえ３３が固定されており、フロート押さえ３３には複数の孔３３ａが形成されている。
【００１３】
このような空気抜き弁２７においては、前述した如く泡状水石鹸供給器１側から石鹸水が補給される際に、集中タンク２４内の空気を前記孔３３ａから孔２８ａを通し外部に良好に排出させることができ、徐々に集中タンク２４内に石鹸水が充満してきた時に、石鹸水によりフロート３１が上動されて弁体３２が孔２８ａを閉止させ、これにより集中タンク２４内が石鹸水で満たん状態となるものである。
【００１４】
なお、長期間使用しないような場合に、石鹸液が固着してフロート３１及び弁体３２の作動不良が生じたような場合には、前記取付筒部２４ａからホッパー２８を取り外し、内部のフロート３１及び弁体３２を取り外して掃除できるように構成されており、掃除して作動不良を良好に解消できるものとなっている。
【００１５】
なお、図７の空気抜き弁２７に代えて、図８に示すような構造の空気抜き弁４０を採用することができ、図８の空気抜き弁４０では、集中タンク２４に形成された空気孔２４ｃの内側に支持部材４１が固設され、この支持部材４１に支点４２を介し上下動可能にアーム４３が取り付けられており、アーム４３の先端にフロート４４が設けられており、また、空気孔２４ｃ内を通して押し上げ部材４５が連結されたものとなっており、この押し上げ部材４５の上部に上下摺動可能な摺動体４６が配設され、摺動体４６に嵌め込まれた弁座ゴム４７に前記押し上げ部材４５の上端が当接できるように構成されており、また、前記摺動体４６の上部には通路体４８が嵌め込まれており、この通路体４８の中央部には通常排気孔４９とその側方に急速排気孔５０が形成されたものとなっている。
【００１６】
この図８の構成では、前記泡状水石鹸供給器１側から石鹸水が集中タンク２４側へ補給されてくる際に、集中タンク２４が空の状態ではフロート４４は下がった状態であり、前記押し上げ部材４５は下方へ下がっているため摺動体４６は通路体４８よりも下方へ離反された状態となって、集中タンク２４内の空気は空気孔２４ｃから急速排気孔５０を通り急速に外部に排出されるものであり、徐々に集中タンク２４内に石鹸液が充満してフロート４４が石鹸液により浮き上げられた時には、押し上げ部材４５により摺動体４６が押し上げられて通路体４８に当接し、通常排気孔４９から空気が排出されるものである。
【００１７】
【発明の効果】
本発明は、集中タンク内に貯留された石鹸水を供給ホースを介し吸い込み可能に構成された水石鹸供給器において、集中タンクへの石鹸水の補給を水石鹸供給器側から行なえるように該水石鹸供給器には石鹸水補給口が形成されているとともに、水石鹸供給器から垂設された石鹸水吸い込み用の吸い上げホースを、集中タンクに連通接続された供給ホース内に通したことにより、集中タンク内の石鹸水が無くなった時には水石鹸供給器の石鹸水補給口から石鹸水を補給して集中タンク内に入れることができ、別途集中タンク用の補給口を形成させる必要がなく、省スペース化を図ることができ、また、カウンター等に補給口を形成させる加工が不要で、意匠的にも優れ、コストを低減させることができ、水石鹸供給器から確実に石鹸水を補給できて石鹸水の補給性が向上したものとなる。
また、水石鹸供給器から垂設された石鹸水吸い込み用の吸い上げホースを、集中タンクに連通接続された供給ホース内に通したことにより、集中タンクからの石鹸水を確実に水石鹸供給器に吸い上げることができ、集中タンクと水石鹸供給器との接続が容易となる。
【００１８】
また、前記集中タンクには、石鹸水補給時に該タンク内の空気を抜くための空気抜き弁が付設されていることにより、石鹸水の補給時に良好に集中タンク内の空気を抜き、石鹸水を集中タンク内に良好に入れることができるものとなる。
また、前記空気抜き弁内部の弁体は取り外し可能に構成されていることにより、長期間使用しない時等に石鹸液の固着により弁体の作動不良が生じたような時には、良好に弁体を取り外して掃除し、作動不良を無くすることができるものとなる。
【００１９】
また、前記供給ホースを取り外し、個別の石鹸水タンクを下部に取付可能に構成したことにより、水石鹸供給器は個別の石鹸水タンクを取り付けて単独で配置させることもでき、また、複数の水石鹸供給器を１個の集中タンクに接続させて使用することもでき、水石鹸供給器の設置態様に良好に対応できる効果を有する。
【図面の簡単な説明】
【図１】下部にタンクを取り付けた単独設置タイプの泡状水石鹸供給器の断面構成図である。
【図２】図１の泡状水石鹸供給器のボタン部分の平面拡大構成図である。
【図３】図１の下部のタンクを取り外し、代わりに集中供給用接続部材を取り付けた状態の断面構成図である。
【図４】複数の泡状水石鹸供給器を１個の集中タンクに接続させた配置正面構成図である。
【図５】図４の平面構成図である。
【図６】図４の側面構成図である。
【図７】集中タンクに設けられた空気抜き弁の断面拡大構成図である。
【図８】空気抜き弁の変更例を示す要部端面構成図である。
【符号の説明】
１  泡状水石鹸供給器
３  垂下ネジ筒部
５  ボタン
５ａ  キャップ
５ｂ  通し孔
５ｃ  石鹸水補給口
５ｄ  支点
６  吐出ノズル
７  摺動棒
８  エアー弁
９  ベローズ
１０  バネ
１１  混合室
１２  吸い込み弁
１３  逆止弁
１５  接続継手
１７  吐出通路
２０  吸い上げホース
２１  タンク
２２  集中供給用接続部材
２３  供給ホース
２４  集中タンク
２５  オーバーフロー管
２７  空気抜き弁
２８  ホッパー
３１  フロート
３２  弁体
３５  手洗器
４０  空気抜き弁
４４  フロート
４５  押し上げ部材
４６  摺動体
４８  通路体
４９  通常排気孔
５０  急速排気孔
Ｒ  空気流路
Ｋ  カウンター
【図１】
0003569859.tif 000002
【図２】
0003569859.tif 000003
【図３】
0003569859.tif 000004
【図４】
0003569859.tif 000005
【図５】
0003569859.tif 000006
【図６】
0003569859.tif 000007
【図７】
0003569859.tif 000008
【図８】
0003569859.tif 000009